(57)【要約】【課題】本発明は、信号発生装置に関し、プルダウン処理に係る映像機器の動作確認を簡易かつ確実に実行することができるようにする。【解決手段】本発明は、メモリ４からの画像データの読出しアドレスの制御によりプルダウン処理された動画像Ｓ２、Ｓ１を生成する。【選択図】        図１
2009182543.tif 000002
【特許請求の範囲】
【請求項１】
映像機器のテスト用ビデオ信号を出力する信号発生装置において、
前記テスト用ビデオ信号の画像データを格納する主画面メモリと、
前記主画面メモリから前記画像データを順次読み出し、動画像による主画面の画像データを出力する主画面のメモリ制御部と、
前記主画面の画像データを処理して前記テスト用ビデオ信号を出力する出力部と、
少なくとも前記主画面のメモリ制御部の動作を制御するコントローラとを備え、
前記主画面のメモリ制御部は、
前記主画面メモリから前記画像データを読出すアドレスの制御により、プルダウン処理された前記主画面の画像データを出力する
ことを特徴とする信号発生装置。
【請求項２】
前記コントローラは、
所望のタイミングで、前記主画面のメモリ制御部のプルダウン処理におけるシーケンスを途中で中止して続くシーケンスを開始することにより、前記テスト用ビデオ信号において前記プルダウン処理における連続するシーケンスの規則性を前記所望のタイミングで損なわせる
ことを特徴とする請求項１に記載の信号発生装置。
【請求項３】
前記主画面のメモリ制御部は、
前記プルダウン処理における各シーケンスを識別するトリガ信号を出力する
ことを特徴とする請求項１又は請求項２に記載の信号発生装置。
【請求項４】
前記トリガ信号が、前記プルダウン処理における各シーケンスの先頭フィールドの開始時点のタイミングを示すトリガ信号である
ことを特徴とする請求項３に記載の信号発生装置。
【請求項５】
前記主画面のメモリ制御部は、
前記主画面メモリから前記画像データを読出すアドレスの制御を所定の時点で切り換え、前記主画面の画像データを、前記プルダウン処理された画像データと、プルダウン処理されていない画像データとで切り換える
ことを特徴とする請求項１、請求項２、請求項３又は請求項４に記載の信号発生装置。
【請求項６】
前記動画像が、スクロールする静止画像による動画像である
ことを特徴とする請求項１、請求項２、請求項３、請求項４又は請求項５に記載の信号発生装置。
【請求項７】
前記出力部は、
子画面の画像データを格納する子画面メモリと、
前記子画面メモリから前記画像データを順次読み出し、動画像による子画面の画像データを出力する子画面のメモリ制御部と、
前記主画面の画像データに前記子画面の画像データを合成して、前記テスト用ビデオ信号の画像データを生成する画像合成部とを有する
ことを特徴とする請求項１、請求項２、請求項３、請求項４、請求項５又は請求項６に記載の信号発生装置。
【請求項８】
前記子画面のメモリ制御部は、
前記子画面メモリから前記画像データを読出すアドレスの制御により、プルダウン処理された前記子画面の画像データを出力する
ことを特徴とする請求項７に記載の信号発生装置。
【請求項９】
前記出力部は、
キャラクタの画像データを格納するキャラクタメモリと、
前記キャラクタメモリから前記画像データを順次読み出し、スクロールする文字列によるキャラクタの画像データを出力するキャラクタメモリのメモリ制御部と、
前記主画面の画像データに前記キャラクタの画像データを合成して、前記テスト用ビデオ信号の画像データを生成する画像合成部とを有する
ことを特徴とする請求項１、請求項２、請求項３、請求項４、請求項５又は請求項６に記載の信号発生装置。
【請求項１０】
前記キャラクタメモリのメモリ制御部は、
前記キャラクタメモリから前記画像データを読出すアドレスの制御により、プルダウン処理された前記キャラクタの画像データを出力する
ことを特徴とする請求項９に記載の信号発生装置。
【請求項１１】
前記出力部は、
子画面の画像データを格納する子画面メモリと、
前記子画面メモリから前記画像データを順次読み出し、動画像による子画面の画像データを出力する子画面のメモリ制御部と、
キャラクタの画像データを格納するキャラクタメモリと、
前記キャラクタメモリから前記画像データを順次読み出し、スクロールする文字列によるキャラクタの画像データを出力するキャラクタメモリのメモリ制御部と、
前記主画面の画像データに前記子画面の画像データ、前記キャラクタの画像データを合成して、前記テスト用ビデオ信号の画像データを生成する画像合成部とを有する
ことを特徴とする請求項１、請求項２、請求項３、請求項４、請求項５又は請求項６に記載の信号発生装置。
【発明の詳細な説明】
【技術分野】
【０００１】
本発明は、信号発生装置に関し、特にプルダウンしたビデオ信号に関する各種映像機器の動作確認に利用することができる。本発明は、メモリからの画像データの読出しアドレスの制御によりプルダウン処理された動画像を生成することにより、プルダウン処理に係る映像機器の動作確認を簡易かつ確実に実行することができるようにする。
【背景技術】
【０００２】
従来、放送局等では、例えば特開平５−２２７４７２号公報に開示されているテレシネ装置等を用いたプルダウン処理により、映画フィルムから放送用ビデオ信号を生成している。
【０００３】
すなわち映画フィルムは、一般に２４フレーム／秒であり、放送用ビデオ信号は、６０フィールド／秒、インターレース方式である。従ってこの場合、いわゆる２−３プルダウン処理を適用して放送用ビデオ信号を生成する。また映画フィルムには２５フレーム／秒のものもあり、この映画フィルムから５０フィールド／秒、インターレース方式の放送用ビデオ信号を生成する場合、いわゆる２−２プルダウン処理が適用される。
【０００４】
ここでプルダウン処理は、一定の規則性に従って処理対象の１フレームをビデオ信号に変換する処理であり、２−３プルダウン処理では、映画フィルムの１フレームから２フィールドを作成するシーケンスと、映画フィルムの１フレームから３フィールドを作成するシーケンスとを交互に繰り返してビデオ信号を生成する。また２−２プルダウン処理では、映画フィルムの１フレームから２フィールドを作成するシーケンスを繰り返して放送用ビデオ信号を生成する。なおプルダウン処理は、処理対象のフレーム周波数と目標とする放送用ビデオ信号のフィールド周波数との関係で、例えば３−２−３−２−２プルダウン処理、８−７プルダウン処理等、種々の方式が存在する。
【０００５】
プルダウン処理されたビデオ信号では、連続するフィールドで動きが不連続となって動きが不自然になる。またプルダウン処理されたビデオ信号を放送する場合には、プルダウン処理されていないコマーシャルのビデオ信号が介挿される場合もあり、またプルダウン処理されていないビデオ信号による字幕、子画面等が合成される場合もある。またプルダウン処理されたビデオ信号のみの編集処理により、プルダウン処理におけるシーケンスの規則性が損なわれる場合もある。
【０００６】
そこで従来、各種映像機器では、これらプルダウン処理されたビデオ信号で予測される不連続性等について、例えばＤＶＤ光ディスクに記録された該当シーンのビデオ信号を再生して動作を確認していた。
【０００７】
このようなプルダウン処理したビデオ信号に関する各種の動作の確認を簡易かつ確実に実行することができれば便利であると考えられる。
【特許文献１】特開平５−２２７４７２号公報
【発明の開示】
【発明が解決しようとする課題】
【０００８】
本発明は以上の点を考慮してなされたもので、プルダウン処理に係る映像機器の動作確認を簡易かつ確実に実行することができる信号発生装置を提案しようとするものである。
【課題を解決するための手段】
【０００９】
上記の課題を解決するため請求項１の発明は、映像機器のテスト用ビデオ信号を出力する信号発生装置に適用して、前記テスト用ビデオ信号の画像データを格納する主画面メモリと、前記主画面メモリから前記画像データを順次読み出し、動画像による主画面の画像データを出力する主画面のメモリ制御部と、前記主画面の画像データを処理して前記テスト用ビデオ信号を出力する出力部と、少なくとも前記主画面のメモリ制御部の動作を制御するコントローラとを備え、前記主画面のメモリ制御部は、前記主画面メモリから前記画像データを読出すアドレスの制御により、プルダウン処理された前記主画面の画像データを出力する。
【００１０】
また請求項２の発明は、請求項１の構成において、前記コントローラは、所望のタイミングで、前記主画面のメモリ制御部におけるプルダウン処理のシーケンスを途中で中止して続くシーケンスを開始することにより、前記テスト用ビデオ信号において前記プルダウン処理における連続するシーケンスの規則性を前記所望のタイミングで損なわせる。
【００１１】
また請求項３の発明は、請求項１又は請求項２の構成において、前記主画面のメモリ制御部は、前記プルダウン処理における各シーケンスを識別するトリガ信号を出力する。
【００１２】
また請求項４の発明は、請求項３の構成において、前記トリガ信号が、前記プルダウン処理における各シーケンスの先頭フィールドの開始時点のタイミングを示すトリガ信号であるようにする。
【００１３】
また請求項５の発明は、請求項１、請求項２、請求項３又は請求項４の構成において、前記主画面のメモリ制御部は、前記主画面メモリから前記画像データを読出すアドレスの制御を所定の時点で切り換え、前記主画面の画像データを、前記プルダウン処理された画像データと、プルダウン処理されていない画像データとで切り換える。
【００１４】
また請求項６の発明は、請求項１、請求項２、請求項３、請求項４又は請求項５の構成において、前記動画像は、スクロールする静止画像による動画像であるようにする。
【００１５】
また請求項７の発明は、請求項１、請求項２、請求項３、請求項４、請求項５又は請求項６の構成において、前記出力部は、子画面の画像データを格納する子画面メモリと、前記子画面メモリから前記画像データを順次読み出し、動画像による子画面の画像データを出力する子画面のメモリ制御部と、前記主画面の画像データに前記子画面の画像データを合成して、前記テスト用ビデオ信号の画像データを生成する画像合成部とを有するようにする。
【００１６】
また請求項８の発明は、請求項７の構成において、前記子画面のメモリ制御部は、前記子画面メモリから前記画像データを読出すアドレスの制御により、プルダウン処理された前記子画面の画像データを出力する。
【００１７】
また請求項９の発明は、請求項１、請求項２、請求項３、請求項４、請求項５又は請求項６の構成において、前記出力部は、キャラクタの画像データを格納するキャラクタメモリと、前記キャラクタメモリから前記画像データを順次読み出し、スクロールする文字列によるキャラクタの画像データを出力するキャラクタメモリのメモリ制御部と、前記主画面の画像データに前記キャラクタの画像データを合成して、前記テスト用ビデオ信号の画像データを生成する画像合成部とを有するようにする。
【００１８】
また請求項１０の発明は、請求項９の構成において、前記キャラクタメモリのメモリ制御部は、前記キャラクタメモリから前記画像データを読出すアドレスの制御により、プルダウン処理された前記キャラクタの画像データを出力する。
【００１９】
また請求項１１の発明は、請求項１、請求項２、請求項３、請求項４、請求項５又は請求項６の構成において、前記出力部は、子画面の画像データを格納する子画面メモリと、前記子画面メモリから前記画像データを順次読み出し、動画像による子画面の画像データを出力する子画面のメモリ制御部と、キャラクタの画像データを格納するキャラクタメモリと、前記キャラクタメモリから前記画像データを順次読み出し、スクロールする文字列によるキャラクタの画像データを出力するキャラクタメモリのメモリ制御部と、前記主画面の画像データに前記子画面の画像データ、前記キャラクタの画像データを合成して、前記テスト用ビデオ信号の画像データを生成する画像合成部とを有するようにする。
【００２０】
請求項１の構成によれば、所望する方式によりプルダウン処理したテスト用ビデオ信号を出力することができ、プルダウン処理したビデオ信号に関する各種の動作確認を簡易かつ確実に実行することができる。
【００２１】
また請求項２の構成によれば、所望のタイミングで連続するシーケンスの規則性を損なわせることができ、プルダウン処理されたビデオ信号における規則性に関して各種の動作確認を簡易かつ確実に実行することができる。
【００２２】
また請求項３の構成によれば、プルダウン処理における各シーケンスをトリガ信号により識別して、プルダウン処理したビデオ信号に関する各種の動作確認を簡易かつ確実に実行することができる。
【００２３】
また請求項４の構成によれば、プルダウン処理における各シーケンス先頭をトリガ信号により確認して、プルダウン処理したビデオ信号に関する各種の動作確認を簡易かつ確実に実行することができる。
【００２４】
また請求項５の構成によれば、編集処理等によりプルダウン処理されたビデオ信号とプルダウン処理されていないビデオ信号とが連続する場合に関して、各種の動作確認を簡易かつ確実に実行することができる。
【００２５】
また請求項６の構成によれば、簡易に動画像の画像データを生成することができる。
【００２６】
また請求項７の構成によれば、プルダウン処理されたビデオ信号に子画面を表示する場合に関して、各種の動作確認を簡易かつ確実に実行することができる。
【００２７】
また請求項８の構成によれば、プルダウン処理されたビデオ信号に、プルダウン処理したビデオ信号による子画面を表示する場合に関して、各種の動作確認を簡易かつ確実に実行することができる。
【００２８】
また請求項９の構成によれば、プルダウン処理されたビデオ信号に文字列を表示する場合に関して、各種の動作確認を簡易かつ確実に実行することができる。
【００２９】
また請求項１０の構成によれば、プルダウン処理されたビデオ信号に、プルダウン処理したビデオ信号による文字列を表示する場合に関して、各種の動作確認を簡易かつ確実に実行することができる。
【００３０】
また請求項１１の構成によれば、プルダウン処理されたビデオ信号に、子画面及び文字列を表示する場合に関して、各種の動作確認を簡易かつ確実に実行することができる。
【発明の効果】
【００３１】
本発明によれば、プルダウン処理したビデオ信号に関する各種の動作確認を簡易かつ確実に実行することができる。
【発明を実施するための最良の形態】
【００３２】
以下、適宜図面を参照しながら本発明の実施例を詳述する。
【実施例１】
【００３３】
（１）実施例の構成
図１は、本発明の実施例１の信号発生装置を示すブロック図である。この信号発生装置１は、所望のビデオ信号によるテスト信号Ｓ１を生成して出力する。
【００３４】
この信号発生装置１において、主画面生成部２は、主画面用のビデオ信号Ｓ２を生成する。ここで主画面用のビデオ信号Ｓ２は、テスト信号Ｓ１による表示画面の全面にスクロールする静止画像による疑似動画像を表示するビデオ信号である。主画面生成部２は、コントローラ３の制御により、このビデオ信号Ｓ２を種々の方式により生成し、また所定のタイミングで生成方式を切り換える。
【００３５】
具体的に、主画面生成部２は、例えば２−３プルダウン処理されたインターレース方式、フィールド周波数６０〔Ｈｚ〕のビデオ信号Ｓ２を生成して出力する。またプルダウン処理されていないインターレース方式、フィールド周波数６０〔Ｈｚ〕のビデオ信号Ｓ２を生成して出力する。また主画面生成部２は、この２種類のビデオ信号Ｓ２の生成方法を、コントローラ３の制御によりユーザーの所望するタイミングで切り換え、これによりプルダウン処理されたビデオ信号とプルダウン処理されていないビデオ信号とが所定のタイミングで切り換わるビデオ信号Ｓ２を出力する。
【００３６】
また主画面生成部２は、２−２プルダウン処理されたインターレース方式、フィールド周波数５０〔Ｈｚ〕のビデオ信号Ｓ２、プルダウン処理されていないインターレース方式、フィールド周波数５０〔Ｈｚ〕のビデオ信号Ｓ２を生成して出力する。さらにこの２種類のビデオ信号Ｓ２の生成方法を、コントローラ３の制御によりユーザーの所望するタイミングで切り換え、これによりこの場合もプルダウン処理されたビデオ信号とプルダウン処理されていないビデオ信号とが所定のタイミングで切り換わるビデオ信号Ｓ２を出力する。
【００３７】
またさらに主画面生成部２は、これら２−３プルダウン処理、２−２プルダウン処理における各シーケンスを識別するトリガ信号ＴＧを出力する。より具体的に、主画面生成部２は、各シーケンスの先頭フィールドの開始時点で信号レベルが立ち上がり、各シーケンスの開始時点を示すトリガ信号ＴＧを出力する。従って主画面生成部２は、２−３プルダウン処理では、１フレームから２フィールドを作成する各シーケンスの先頭フィールドの開始時点、１フィールドから３フィールドを作成する各シーケンスの先頭フィールドの開始時点でトリガ信号ＴＧの信号レベルを立ち上げる。また２−２プルダウン処理では、１フレームから２フィールドを作成する各シーケンスの先頭フィールドの開始時点でトリガ信号ＴＧの信号レベルを立ち上げる。
【００３８】
また主画面生成部２は、コントローラ３の制御により動作を切り換え、コントローラ３により指示されたタイミングで実行中のシーケンスを途中で中止した後、コントローラ３で指示された続くシーケンスを開始し、これにより連続するシーケンスにおける規則性を所望のタイミングで損なわせる。
【００３９】
より具体的に、主画面生成部２は、例えば２−３プルダウン処理において、１フレームから２フィールドを作成するシーケンスで規則性を損なわせる場合には、１フレームから２フィールドを作成するシーケンスにおいて、１フレームから１フィールドを作成した後、コントローラ３の指示に従って、１フレームから２フィールドを作成するシーケンス、１フレームから３フィールドを作成するシーケンスを交互に実行し、又は１フレームから３フィールドを作成するシーケンス、１フレームから２フィールドを作成するシーケンスを交互に実行する。
【００４０】
また例えば２−３プルダウン処理において、１フレームから３フィールドを作成するシーケンスで規則性を損なわせる場合、コントローラ３の指示に従って、１フレームから３フィールドを作成するシーケンスにおいて、１フレームから１フィールド又は２フィールドを作成した後、コントローラ３の指示に従って、１フレームから２フィールドを作成するシーケンス、１フレームから３フィールドを作成するシーケンスを交互に実行し、又は１フレームから３フィールドを作成するシーケンス、１フレームから２フィールドを作成するシーケンスを交互に実行する。
【００４１】
また例えば２−２プルダウン処理において、規則性を損なわせる場合、１フレームから２フィールドを作成するシーケンスにおいて、１フレームから１フィールドを作成した後、１フレームから２フィールドを作成するシーケンスを繰り返す。
【００４２】
主画面生成部２は、主画面メモリ４に保持した画像データの読出しアドレスの制御によりこれらの処理を実行する。すなわち主画面生成部２において、主画面メモリ４は、主画面用のビデオ信号Ｓ２の生成に使用する画像データを記録して保持する。なおここで画像データは、例えばカラーバー、グレースケール等の各種テストパターンの画像データ、自然画による静止画像の画像データ等である。メモリ制御部５は、コントローラ３の制御により内蔵の垂直カウンタ及び水平カウンタで主画面メモリ４の読出しアドレスを順次生成し、主画面メモリ４から画像データを出力する。なおここで垂直カウンタ及び水平カウンタは、それぞれテスト信号Ｓ１における垂直方向及び水平方向の表示を規定するアドレスカウンタである。
【００４３】
すなわち主画面生成部２は、プルダウン処理していないフィールド周波数５０又は６０〔Ｈｚ〕のインターレース方式のビデオ信号Ｓ２を主画面生成部２から出力する場合、このビデオ信号Ｓ２に同期して垂直カウンタ及び又は水平カウンタを順次更新して読出しアドレスを生成し、これによりスクロール画像による疑似動画像の画像データを出力する。またこの垂直カウンタ及び又は水平カウンタの更新値をユーザーの指示に応じて可変し、これによりスクロール方向及び速度を可変する。
【００４４】
またプルダウン処理したフィールド周波数６０〔Ｈｚ〕のインターレース方式のビデオ信号Ｓ２を主画面生成部２から出力する場合、２−３プルダウン処理における１フレームから２フィールドを作成するシーケンス及び１フィールドから３フィールドを生成するシーケンスに対応して、垂直カウンタ及び又は水平カウンタによるアドレスの更新を２フィールド又は３フィールド毎に実行し、これにより２−３プルダウン処理したスクロール画像による疑似動画像の画像データを出力する。またこの場合も垂直カウンタ及び又は水平カウンタの更新値をユーザーの指示に応じて可変し、これによりスクロール方向及び速度を可変する。
【００４５】
またプルダウン処理したフィールド周波数５０〔Ｈｚ〕のインターレース方式のビデオ信号Ｓ２を主画面生成部２から出力する場合、２−２プルダウン処理における１フレームから２フィールドを作成するシーケンスに対応して、垂直カウンタ及び又は水平カウンタによる読出しアドレスの更新を２フィールド毎に実行し、これにより２−２プルダウン処理したスクロール画像による疑似動画像の画像データを出力する。またこの場合も垂直カウンタ及び又は水平カウンタの更新値をユーザーの指示に応じて可変し、これによりスクロール方向及び速度を可変する。
【００４６】
これらによりメモリ制御部５は、コントローラ３により指示されたシーケンスにより各種プルダウン処理を実行するプルダウン処理部５Ａを構成する。
【００４７】
またプルダウン処理したビデオ信号とプルダウン処理していないビデオ信号とでこの主画面生成部２から出力するビデオ信号Ｓ２を切り換える場合には、これらの読出しアドレスの更新処理を、コントローラ３から指示されたタイミングで切り換える。
【００４８】
また連続するシーケンスを所望のタイミングで損なわせる場合には、上述した各シーケンスを途中で中止するタイミングで、それまでの読出しアドレスによる画像データの読出しを中止した後、読出しアドレスを更新して続くシーケンスの処理を開始する。
【００４９】
黒帯合成部６は、メモリ制御部５から出力される画像データよりビデオ信号Ｓ２を生成して出力する。この処理において、黒帯合成部６は、コントローラ３の制御により、メモリ制御部５から出力される画像データを黒色の画像データに置き換え、テスト信号Ｓ１による表示画面の上下及び又は左右に黒帯の部位を形成する。これによりこの信号発生装置１は、レターサイズ、シネマサイズ等のテスト信号Ｓ１についても出力可能に構成される。
【００５０】
子画面生成部８は、子画面のビデオ信号Ｓ３を生成する。ここで子画面用のビデオ信号Ｓ３は、テスト信号Ｓ１による表示画面に子画面を表示するビデオ信号であり、主画面のビデオ信号Ｓ２と同様に、スクロールする静止画像による疑似動画像を表示するビデオ信号である。子画面生成部８は、コントローラ３の制御により、主画面のビデオ信号Ｓ２と同様に、このビデオ信号Ｓ３を種々の方式により生成し、また所定のタイミングで生成方式を切り換え、さらには所定のタイミングでシーケンスの規則性を損なわせる。
【００５１】
すなわち子画面生成部８において、子画面メモリ１０は、子画面用のビデオ信号Ｓ３の生成に使用する画像データを記録して保持する。メモリ制御部１１は、メモリ制御部５と同様に、子画面メモリ１０に格納された画像データを読み出して出力する。これにより子画面生成部８において、メモリ制御部１１は、主画面生成部２におけるメモリ制御部５と同様に、プルダウン処理部１１Ａを構成する。
【００５２】
合成選択部１２は、コントローラ３の制御により、ユーザーがテスト信号Ｓ１に子画面の表示を指示した場合、メモリ制御部１１から出力される画像データをビデオ信号Ｓ３に変換して出力する。またこのときこの子画面合成用のキー信号を生成して出力する。
【００５３】
キャラクタ生成部７は、テスト信号Ｓ１の表示画面に表示するキャラクタ（文字列）のビデオ信号を生成して出力する。この処理においてキャラクタ生成部７は、コントローラ３の制御により、主画面のビデオ信号Ｓ２と同様に、このビデオ信号Ｓ３を種々の方式により生成し、また所定のタイミングで生成方式を切り換え、さらには所定のタイミングでプルダウン処理におけるシーケンスの規則性を損なわせる。
【００５４】
すなわちキャラクタ生成部７において、キャラクタメモリ１４は、各種文字の画像データを記録して保持する。メモリ制御部１５は、コントローラ３の制御により、ユーザーの指示した文字列を構成する画像データをこのキャラクタメモリ１４から順次読み出してビデオ信号Ｓ４により出力する。この処理において、メモリ制御部１５は、ユーザーの指示したスクロール速度でスクロールするように、さらには表示位置を可変するようにし、キャラクタメモリ１４からの読み出しのタイミングを順次変更して出力する。また主画面生成部２と同様に、種々の方式によりビデオ信号Ｓ４を生成し、また所定のタイミングで生成方式を切り換え、さらには所定のタイミングでプルダウン処理におけるシーケンスの規則性を損なわせる。
【００５５】
合成選択部１６は、コントローラ３の制御により、ユーザーがキャラクタの表示を指示した場合、メモリ制御部１５から出力される画像データをビデオ信号Ｓ４に変換して出力する。またこのときこのキャラクタ合成用のキー信号を生成して出力する。
【００５６】
テスト信号出力部１８は、主画面用のビデオ信号Ｓ３を所望のフォーマットに変換してテスト信号Ｓ１を出力する。この処理において、テスト信号出力部１８は、画像合成部１９において、それぞれ子画面用及びキャラクタ用のキー信号により、主画面用のビデオ信号Ｓ２に子画面用のビデオ信号Ｓ３及び又はキャラクタ用のビデオ信号Ｓ４を合成して出力する。
【００５７】
コントローラ３は、この信号発生装置１の動作を制御するコンピュータであり、ユーザー操作に応動して各部の動作を制御する。
【００５８】
（２）実施例の動作
以上の構成において、この信号発生装置１では、プルダウン処理していないインターレース方式のテスト信号Ｓ１の出力をユーザーが指示した場合、メモリ制御部５により主画面メモリ４からフィールド周波数５０又は６０〔Ｈｚ〕により主画面用の画像データが順次読み出され、この主画面用の画像データが黒帯合成部６、画像合成部１９を介してテスト信号Ｓ１により出力される。またこのメモリ制御部５により主画面メモリ４からの主画面用の画像データの読出し処理において、フィールド単位で順次読出しアドレスが更新され、これによりユーザーの指示したスクロール方向、スクロール速度による疑似動画によりテスト信号Ｓ１が出力される。
【００５９】
これに対してユーザーがプルダウン処理したインターレース方式のテスト信号Ｓ１の出力を指示した場合、同様にして、主画面メモリ４からユーザーの指示したスクロール方向及びスクロール速度による主画面用の画像データが読み出され、この画像データが黒帯合成部６、画像合成部１９を介してテスト信号Ｓ１により出力される。この処理において、例えば２−３プルダウン方式によるフィールド周波数６０〔Ｈｚ〕のテスト信号Ｓ１を出力する場合、２−３プルダウン処理のシーケンスに従って、読出しアドレスの更新が２フィールド毎、３フィールド毎に交互に実行され、これにより２−３プルダウン処理されたテスト信号Ｓ１が出力される。また２−２プルダウン処理されたテスト信号の出力が指示された場合には、同様にして、読出しアドレスの更新が２フィールド毎に実行され、これにより２−２プルダウン処理されたテスト信号Ｓ１が出力される。
【００６０】
これによりこの実施例では、種々にスクロール方向、スクロール速度を可変して、この信号発生装置１から出力されるテスト信号Ｓ１を所望する映像機器に接続してモニタすることにより、例えば動きの不連続性を低減する画像処理等を簡易に確認することができる。またこの場合、スクロール方向及びスクロール速度を一定値に設定して繰り返し所望のビデオ信号を出力することができることにより、一定の評価基準で各種の映像機器を評価することができ、従来に比して映像機器の評価を簡易かつ確実に実行することができる。
【００６１】
また信号発生装置１では、ユーザーの指示によりこれらプルダウン処理したテスト信号の出力と、プルダウン処理していないテスト信号との出力が切り換えられる。これによりこの信号発生装置１では、プルダウン処理したビデオ信号とプルダウン処理してないビデオ信号の切り換えに関して、映像機器の動作を確認することができる。
【００６２】
また信号発生装置１では、プルダウン処理のシーケンスにおける主画面メモリ４からの画像データの読み出しにおいて、コントローラ３の制御によりユーザーにより指示されたタイミングでシーケンスの規則性が損なわれる。これによりこの信号発生装置１では、所望のタイミングでプルダウン処理のシーケンスを損なわせることができ、映像機器の動作を確認することができる。
【００６３】
またこの信号発生装置１では、このテスト信号Ｓ１において、プルダウン処理の各シーケンスを識別するトリガ信号ＴＧが出力される。これによりこの信号発生装置１では、このトリガ信号ＴＧを基準にしてプルダウン処理されたビデオ信号における不連続性を確認して映像機器の確認に役立てることができる。
【００６４】
従ってこれらプルダウン処理されたビデオ信号とプルダウン処理されていないビデオ信号との確認、プルダウン処理におけるシーケンスの規則性の確認等に関しても、一定の評価基準で各種の映像機器を評価することができ、従来に比して映像機器の評価を簡易かつ確実に実行することができる。
【００６５】
またこの信号処理装置１では、子画面表示及びキャラクタ表示に関しても、主画面と同様にして種々の方式によりプルダウン処理したビデオ信号、プルダウン処理していないビデオ信号、これらビデオ信号を切り換えたビデオ信号、プルダウン処理におけるシーケンスの規則性が損なわれたビデオ信号が生成され、これらのビデオ信号が主画面のビデオ信号Ｓ２と合成されてテスト信号Ｓ１が生成される。
【００６６】
これによりこの信号処理装置１では、子画面表示及びキャラクタ表示に関しても、主画面の場合と同様に、プルダウン処理に関する各種の動作確認を簡易かつ確実に実行することができる。
【００６７】
（３）実施例の効果
以上の構成によれば、メモリからの画像データの読出しアドレスの制御によりプルダウン処理された疑似動画像を生成することにより、プルダウン処理に係る映像機器の動作確認を簡易かつ確実に実行することができる。
【００６８】
また所望のタイミングでプルダウン処理のシーケンスを途中で中止し、連続するシーケンスの規則性を損なわせることにより、プルダウン処理されたビデオ信号における規則性に関して各種の動作確認を簡易かつ確実に実行することができる。
【００６９】
またプルダウン処理における各シーケンスを識別するトリガ信号を出力することにより、より具体的には、プルダウン処理における各シーケンスの先頭フィールドの開始時点のタイミングを示すトリガ信号を出力することにより、このトリガ信号を基準にしてプルダウン処理したビデオ信号に関する各種の動作確認を簡易かつ確実に実行することができる。
【００７０】
またメモリからの読出しアドレスの制御を途中で切り換え、プルダウン処理されたビデオ信号とプルダウン処理されていないビデオ信号とでテスト信号の出力を切り換えることにより、編集処理等によりプルダウン処理されたビデオ信号とプルダウン処理されていないビデオ信号とが連続する場合に関して、各種の動作確認を簡易かつ確実に実行することができる。
【００７１】
また子画面及び又はキャラクタのビデオ信号を生成して主画面のビデオ信号と合成出力するようにして、この子画面及び又はキャラクタのビデオ信号についても、メモリから画像データの読出しアドレスの制御によりプルダウン処理された疑似動画像を生成することにより、一段とプルダウン処理に係る映像機器の動作確認を簡易かつ確実に実行することができる。
【実施例２】
【００７２】
なお上述の実施例においては、メモリ制御部５、１１、１５によりそれぞれプルダウン処理部を構成する場合について述べたが、本発明はこれに限らず、画像メモリからの画像データの読出し部とは別に、プルダウン処理部を設けるようにしてもよい。
【００７３】
また上述の実施例においては、メイン画面に子画面、キャラクタをそれぞれ１つずつ合成する場合について述べたが、本発明はこれに限らず、メイン画面に複数の子画面を合成する場合、メイン画面に複数のキャラクタを合成する場合等にも広く適用することができる。なおこれらの場合に、子画面の中にさらに子画面、キャラクタを設けるようにしてもよい。
【００７４】
また上述の実施例においては、スクロールする静止画像により擬似的に動画像を作成する場合について述べたが、本発明はこれに限らず、例えば動画像の画像データをメモリから読み出して動画像を作成してもよい。
【産業上の利用可能性】
【００７５】
本発明は、例えば映像機器の各種動作確認に利用することができる。
【図面の簡単な説明】
【００７６】
【図１】本発明の実施例１の信号発生装置を示すブロック図である。
【符号の説明】
【００７７】
１……信号発生装置、２……主画面生成部、３……コントローラ、４……主画面メモリ５、１１、１５……メモリ制御部、５Ａ、１１Ａ、１５Ａ……プルダウン処理部、６……黒帯合成部、７……キャラクタ生成部、８……子画面生成部、１０……子画面メモリ、１２、１６……合成選択部、１４……キャラクタメモリ、１９……画像合成部
【図１】
2009182543.tif 000003